(57)【要約】      （修正有）【課題】表表紙と裏表紙の腰が弱く、軟弱で本箱等に立て掛けられない冊子及び本箱等に長期間立てかけて置くと、時間の経過とともに表表示と裏表紙が折れ曲がったり、へたれたりする冊子、ファイル及びノート等の表表紙及び裏表紙等に貼り付けるへたれ防止シートを提供する。【解決手段】基板となるシートを概四辺形又は概円形若しくは概楕円形に分割し、該分割したシートを再分割し又はそのまま使用し、該再分割し又はそのまま使用したシート片に接着剤を塗布し、接着剤を塗布した該シート片面を剥離紙を貼り付ける。【選択図】図１
2011136536.tif 000002
【特許請求の範囲】
【請求項１】
基板となるシートを概四辺形又は概円形若しくは概楕円形に分割し、
該分割したシート片を再分割するか又はそのまま使用し、
該シート片の隅部を面取りし、
面取りしたシート片の一方の面に接着材を塗布し、
該接着材を塗布したシート片を同一剥離紙に貼り付けた、
ことを特徴とするへたれ防止シート及び該へたれ防止シートの製造装置。
【請求項２】
基板となるシートを概四辺形又は概円形若しくは概楕円形に分割し、
該分割したシート片の一方の面に接着材を塗布し、
該接着材を塗布したシート片に剥離紙に貼り付け、
該剥離紙に貼り付けたシート片を再分割するか又はそのまま使用し、
該シート片の隅部を面取りした、
ことを特徴とするへたれ防止シート及び該へたれ防止シートの製造装置。
【請求項３】
請求項１及び請求項２によって再分割し又は使用しかつ面取りしたシート片と合同又は相似形のシート片を１組または複数組組み合わせ、該シート片それぞれの一方の面に接着材を塗布し、該接着材を塗布したシート面を同一剥離紙に貼り付けた請求項１及び請求項２のへたれ防止シート及び該へたれ防止シートの製造装置。
【請求項４】
基板となるシートを概四辺形又は概円形若しくは概楕円形に分割し、
該シートの一方の面に接着材を塗布し、
該接着材を塗布したシート面に剥離紙に貼り付け、
該剥離紙に貼り付けたシートを剥離紙ごと再分割するか又はそのまま使用し、
該分割又はそのまま使用した基板片の隅部を面取りした、
ことを特徴とするへたれ防止シート及び該へたれ防止シートの製造装置。
【請求項５】
請求項４で作成したシート片を１組または複数組組み合わせたへたれ防止シート及び該へたれ防止シートの製造装置。
【請求項６】
透明な基板となるシート及び透明な接着剤を使用して製造した請求項１乃至請求項５のへたれ防止シート及び該へたれ防止シートの製造装置。
【請求項７】
ファイル、ノートブック、冊子、他のファイリング用具等に貼付されたか又は一体的に設置付加された請求項１乃至請求項６のへたれ防止シート及び該へたれ防止シートの製造装置。
【発明の詳細な説明】
【技術分野】
【０００１】  本発明は、新規な物質を提供するものである。
【背景技術】
【０００２】  本発明は、新規な物質を提供するものである。
しかしながら、あえて従来の物品で似たものをあげると、かど部支持具があげられる。
かど部支持具は、写真等の角部支持や物品の角部を保護する目的で取り付けるものが分類されている。そして、かど部支持具には、物品の角部に被せるものや、ポケット等を有するものも含まれている。
しかし、本発明は、腰の弱いファイル、ノート、雑誌等の表表紙や裏表紙の表紙裏に貼り付け、該物品のへたれを防止し、本箱等に適切に立て掛けられるようにする貼付式へたれ防止シート、つまり表紙及び裏表紙面の腰を強化することにより、該物品を立て掛けられるようにするものであり、それらの物品とは目的及び機能が異なる。
しかしながら、あえてこれらの物品のなかから、貼付という点で本発明の構成要素の一部に比較的近いかど部支持具の中から例をあげると、貼付式かど部支持具の例がある。（例えば、特許文献１参照）
【先行技術文献】
【特許文献】
【０００４】
【特許文献１】  特開２００２−２２５４７３号  公報
【発明の概要】
【発明が解決しようとする課題】
【０００５】  本箱等に立て掛けようとするとき、表表紙と裏表紙の腰が弱く、軟弱で本箱等に立て掛けられない冊子等がある。また、ファイルやノート等は、長期間本箱等に立て掛けて置くと、時間の経過とともに表表示と裏表紙が折れ曲がったり、へたれたりする。
これまで、これを補修する物品は提案されていない。
そこで、表表紙と裏表紙の腰が弱く、軟弱で本箱等に立て掛けられない冊子及び本箱等に長期間立てかけて置くと、時間の経過とともに表表示と裏表紙が折れ曲がったり、へたれたりする冊子、ファイル及びノート等の補修用補助シートを提供することが本発明の課題である。
【課題を解決するための手段】
【０００６】  本発明は、課題を解決するため、基板となるシートを概四辺形又は概円形若しくは概楕円形に分割し、該分割した基板シート片をさらに再分割するか又はそのまま使用し、該分割又はそのまま使用したシート片それぞれに接着剤を塗布し、接着剤を塗布した該シート面を剥離しを貼り付け、該剥離紙から剥がして目的とするところに貼り付け、物品のへたれを防止する。
【発明の効果】
【０００７】  本発明のシート片は、ファイルやノート及び冊子等の目的とするところに貼り付けると、該ファイルやノート及び冊子等を適切に長期間本箱等に立て掛けることができるようになる。
【図面の簡単な説明】
【０００８】
【図１】実施例１の参考使用斜視図である。
【図２】基板となるシートを再分割する実施方法の１例を示した正面図である。（実施例１）
【図３】実施例１の背面図である。
【図４】実施例１の右側面図である。
【図５】実施例１の平面図である。
【図６】実施例１の底面図である。
【図７】基板となるシートを再分割する実施方法の１例を示した正面図である。（実施例２）
【図８】実施例２の参考使用斜視図である。
【図９】基板となるシートを再分割する実施方法の１例を示した正面図である。（実施例３）
【図１０】実施例３の参考使用斜視図である。
【図１１】基板となるシートを再分割する実施方法の１例を示した正面図である。（実施例４）
【図１２】基板となるシートを再分割する実施方法の１例を示した正面図である。（実施例５）
【図１３】基板となるシートを再分割する実施方法の１例を示した正面図である。（実施例６）
【図１４】基板となるシートを再分割する実施方法の１例を示した正面図である。（実施例７）
【発明を実施するための形態】
【実施例１】
【０００９】  実施例１（図２）は、基板となるシートを長方形に分割し、さらに該分割シート片を概台形に２分割し（図２の１及び２）、該分割シート片の片面に接着剤を塗布し、該接着剤の塗布面に剥離紙を貼り付けた（図２、図３、図４、図５、図６それぞれの５）ものである。
この場合、接着剤を塗布したシート面を同一剥離紙に貼り付ける。また、剥離紙に貼り付ける前後において、該分割シート片を面取りし（図２の６から１０）、該分割シート片をひとつずつ独立して剥離紙から剥がせるようにする（図２の３及び４）。
該最終シート片の参考使用図の一例は、図１のとおりである。
【実施例２】
【００１０】  実施例２（図７）は、基板となるシートを長方形に分割し、さらに該分割シート片をさらに４分割したものである。
最終分割シート片の片面に接着剤を塗布し、該接着剤の塗布面に剥離紙を貼り付け、剥離紙に貼り付ける前後において、最終分割シート片を面取りし、該最終分割シート片をひとつずつ独立して剥離紙から剥がせるようにする。
該最終シート片の参考使用図の一例は、図８のとおりである。
【実施例３】
【００１１】  実施例３（図９）は、基板となるシートを長方形に分割し、さらに該分割シート片を６分割したものである。
最終分割シート片の片面に接着剤を塗布し、該接着剤の塗布面に剥離紙を貼り付け、剥離紙に貼り付ける前後において、最終分割シート片を面取りし、該最終分割シート片をひとつずつ独立して剥離紙から剥がせるようにする。
該最終シート片の参考使用図の一例は、図１０のとおりである。
【実施例４】
【００１２】  実施例４（図１１）は、基板となるシートを円形に分割し、さらに該分割シート片を４分割したものである。
最終分割シート片の片面に接着剤を塗布し、該接着剤の塗布面に剥離紙を貼り付け、剥離紙に貼り付ける前後において、最終分割シート片を面取りし、該最終分割シート片をひとつずつ独立して剥離紙から剥がせるようにする。
【実施例５】
【００１３】  実施例５（図１２）は、基板となるシートを楕円形に分割し、さらに該分割シート片を４分割したものである。
最終分割シート片の片面に接着剤を塗布し、該接着剤の塗布面に剥離紙を貼り付け、剥離紙に貼り付ける前後において、最終分割シート片を面取りし、該最終分割シート片をひとつずつ独立して剥離紙から剥がせるようにする。
【実施例６】
【００１４】  実施例６（図１３）は、基板となるシートを長方形に分割し、さらに該分割シート片を２分割したものである。
最終分割シート片の片面に接着剤を塗布し、該接着剤の塗布面に剥離紙を貼り付け、剥離紙に貼り付ける前後において、最終分割シート片を面取りし、該最終分割シート片をひとつずつ独立して剥離紙から剥がせるようにする。
【実施例７】
【００１５】  実施例７（図１４）は、基板となるシートを長方形に分割し、該分割シート片をそのまま使用したものである。
該分割シート片の片面に接着剤を塗布し、該接着剤の塗布面に剥離紙を貼り付け、剥離紙に貼り付ける前後において、シート片を面取りする。
【実施形態】
【００１６】  本発明においては、へたれ防止シートを貼り付けて、下地が見えるようにするためには、基板及び接着剤に透明な材料を使用する。
本発明の基板となるシートの最適材料は、合成樹脂製のシートである。但し、紙製、布製、軽量金属製などのシートなども素材として使用できる。
カラフルなへたれ防止シートを作成する場合は、基板となるシート及び接着剤のいずれか一方又は双方にカラーの入った材料を使用する。
基板となるシート及び剥離紙の厚さ及び分割する方法、並びに該基板となるシートの再分割方法、形態、及び剥離紙に剥離紙に貼り付けた状態の各分割シート片の間隔その他の形状等は設計事項として決める。
【符号の説明】
【００１７】１    基板を分割した分割シート片
２    同上
３    分割シート片の淵
４    同上
５    剥離紙
６から１３  面取り部
【図１】
2011136536.tif 000003
【図２】
2011136536.tif 000004
【図３】
2011136536.tif 000005
【図４】
2011136536.tif 000006
【図５】
2011136536.tif 000007
【図６】
2011136536.tif 000008
【図７】
2011136536.tif 000009
【図８】
2011136536.tif 000010
【図９】
2011136536.tif 000011
【図１０】
2011136536.tif 000012
【図１１】
2011136536.tif 000013
【図１２】
2011136536.tif 000014
【図１３】
2011136536.tif 000015
【図１４】
2011136536.tif 000016
【手続補正書】
【提出日】平成22年3月26日(2010.3.26)
【手続補正２】
【補正対象書類名】特許請求の範囲
【補正対象項目名】全文
【補正方法】変更
【補正の内容】
【特許請求の範囲】
【請求項１】
基板となるシートを概四辺形又は概円形若しくは概楕円形に分割し、
該分割したシート片を再分割するか又はそのまま使用し、
該シート片の隅部を面取りし、
面取りしたシート片の一方の面に接着材を塗布し、
該接着材を塗布したシート片を同一剥離紙に貼り付けた、
ことを特徴とするへたれ防止シート。
【請求項２】
基板となるシートを概四辺形又は概円形若しくは概楕円形に分割し、
該分割したシート片の一方の面に接着材を塗布し、
該接着材を塗布したシート片に剥離紙に貼り付け、
該剥離紙に貼り付けたシート片を再分割するか又はそのまま使用し、
該シート片の隅部を面取りした、
ことを特徴とするへたれ防止シート。
【請求項３】
請求項１及び請求項２によって再分割し又は使用しかつ面取りしたシート片と合同又は相似形のシート片を１組または複数組組み合わせ、該シート片それぞれの一方の面に接着材を塗布し、該接着材を塗布したシート面を同一剥離紙に貼り付けた請求項１及び請求項２のへたれ防止シート。
【請求項４】
基板となるシートを概四辺形又は概円形若しくは概楕円形に分割し、
該シートの一方の面に接着材を塗布し、
該接着材を塗布したシート面に剥離紙に貼り付け、
該剥離紙に貼り付けたシートを剥離紙ごと再分割するか又はそのまま使用し、
該分割又はそのまま使用した基板片の隅部を面取りした、
ことを特徴とするへたれ防止シート。
【請求項５】
請求項４で作成したシート片を１組または複数組組み合わせたへたれ防止シート。
【請求項６】
透明な基板となるシート及び透明な接着剤を使用して製造した請求項１乃至請求項５のへたれ防止シート。
【請求項７】
ファイル、ノートブック、冊子、他のファイリング用具等に貼付されたか又は一体的に設置付加された請求項１乃至請求項６のへたれ防止シート。